(57)【特許請求の範囲】
【請求項１】
複数の用紙で構成され、秘密情報記入欄における上葉紙の裏面に感圧複写インキ層を設け、この感圧複写インキ層と対向する下葉紙表面に隠蔽用印刷層が形成された感圧複写伝票において、
前記感圧複写インキ層は、カーボンブラックを混入したワックス系のカーボンインキに２００ｎｍ〜４５０ｎｍの波長で発光する螢光材を含有させるとともに、隠蔽用印刷層は、感圧複写インキ層と同色または同系色で、かつ７４０ｎｍ以上の波長領域下で５５％以上の反射率を示すインキを使用し、ベタ印刷もしくは地紋印刷等により形成されていることを特徴とする感圧複写伝票。
【発明の詳細な説明】
【０００１】
【発明の属する技術分野】
この発明は、金融機関等の預金口座申込書等に好適な感圧複写伝票に関する。
【０００２】
【従来の技術】
通常、感圧複写伝票は、裏面に発色剤層を有する上葉紙と、表面に顕色剤層を有する下葉紙からなる２枚組の感圧複写用紙から構成され、上葉紙の表面に加わる筆圧により下葉紙表面に複写される構成になっており、また、複写が不要な部分は下葉紙表面に減感インキを印刷処理することにより、部分的に不可視部分を形成するという構成である。
【０００３】
ところで、最近、金融機関等の預金口座申込書等に感圧複写伝票を使用することが多く、例えば、図５，図６に示すように、預金口座申込書１は、複写用紙２，３の２枚組から構成され、１頁目の複写用紙２には、住所，氏名等の一般情報を記入する一般情報記入欄２ａと、暗証番号等の秘密情報を記入する秘密情報記入欄２ｂが設定されている。
【０００４】
そして、暗証番号等の秘密情報の漏洩を防止するために、従来では、１頁目の複写用紙２における秘密情報記入欄２ｂの裏面側に２００ｎｍ〜３００ｎｍの波長の紫外光で発光する螢光材、又は、２００ｎｍ〜３００ｎｍの波長の紫外光で発光する螢光材と３００ｎｍを越えて４５０ｎｍ以下の波長の紫外光で発光する螢光材とを含有する感圧複写インキ層４が設けられ、この感圧複写インキ層４と対向する２頁目の複写用紙３の表面にはこの感圧複写インキ層４と同色または同系色のインキを使用したベタ印刷もしくは地紋印刷等の隠蔽用印刷層５が設けられている。
【０００５】
従って、１頁目の複写用紙２の表面に一般情報記入欄２ａ及び秘密情報記入欄２ｂに一般情報及び暗証番号等を記入すれば、２頁目の複写用紙３の表面に一般情報が複写されるとともに、暗証番号等の秘密情報については不可視的に複写される。
【０００６】
そして、１頁目の複写用紙２は、申込者が控えとして保存するが、２頁目の複写用紙３については金融機関側が保管し、データ入力する際には、紫外光を当てて発光させ、暗証番号を判読可能に現出させた後、暗証番号の確認を行ない、キーパンチによりコンピュータにデータ入力しているのが実情である。
【０００７】
【発明が解決しようとする課題】
このように、従来の感圧複写伝票で、特に預金口座申込書のように秘密情報を記入するタイプのものでは、この伝票処理において２００ｎｍ〜４５０ｎｍの紫外光を当てて発光させた後、それを目視で判読するしか情報を読み取る方法はなく、既存のＯＣＲ装置では自動読取が不可能である。
【０００８】
従って、キーパンチによりコンピューターにデータ入力を行う必要があり、データ入力時間を多く費やし、かつ、キー入力ミスにより間違った暗証番号が登録されるという不具合もあり、データ入力の信頼性に欠ける等の種々の問題点が指摘されていた。
【０００９】
この発明は、このような事情に鑑みてなされたもので、口座の暗証番号等の秘密情報を記入する感圧複写伝票において、データ入力時間の大幅な短縮化を図るとともに、データ入力の信頼性を大幅に高めることができる感圧複写伝票を提供することを目的としている。
【００１０】
【課題を解決するための手段】
上記目的を達成するために、本発明は、複数の用紙で構成され、秘密情報記入欄における上葉紙の裏面に感圧複写インキ層を設け、この感圧複写インキ層と対向する下葉紙表面に隠蔽用印刷層が形成された感圧複写伝票において、前記感圧複写インキ層は、カーボンブラックを混入したワックス系のカーボンインキに２００ｎｍ〜４５０ｎｍの波長で発光する螢光材を含有させるとともに、隠蔽用印刷層は、感圧複写インキ層と同色または同系色で、かつ７４０ｎｍ以上の波長領域下で５５％以上の反射率を示すインキを使用し、ベタ印刷もしくは地紋印刷等により形成されていることを特徴とする。
【００１１】
ここで、感圧複写用紙の構成としては、上葉紙の裏面には無色の発色剤、例えば、クリスタルバイオレットラクトン，ベンゾイルロイコメチレンブルー等を充填したマイクロカプセル層が形成されており、下葉紙の表面には活性白土等の顕色剤層が形成され、筆圧により機械的圧力でマイクロカプセルを破壊して発色剤を流出させ、顕色剤により発色させることにより複写可能となるものを使用しても良く、また、上葉紙の裏面所定箇所にスポートカーボンを塗工しても良い。
【００１２】
更に、感圧複写インキ層は、カーボンブラックを混入したワックス系カーボンインキに、２００ｎｍ〜４５０ｎｍの波長で発光する螢光材を含有させた特殊墨インキを使用するが、螢光材としては、無機系の硫化亜鉛，ケイ酸亜鉛，硫化カドミウム，タングステン酸カルシウム，タングステン酸カドミウム等があり、また、有機系の螢光材として、メラミン−ホルムアルデヒド樹脂の水溶液に螢光材を溶解し、乳化重合して得られる樹脂固容体を粉砕したものを使用することができる。
【００１３】
更に、隠蔽用印刷層に使用するインキは、感圧複写インキ層のインキと同色または同系色の墨インキであり、７４０ｎｍ以上の波長領域下で５５％以上の反射率を示すことが必要であるが、例えば、波長７４０ｎｍで反射率６２％、波長７６０ｎｍで反射率７０％、波長９００ｎｍで反射率７８％を示すインキが適している。
【００１４】
以上の構成から明らかなように、本発明に係る感圧複写伝票は、秘密情報記入欄における上葉紙の裏面に感圧複写インキ層が、下葉紙の表面に隠蔽用印刷層がそれぞれ形成されており、隠蔽用印刷層のインキが感圧複写インキ層のインキと同色または同系色であるため、秘密情報記入欄に記入した内容は通常時は目視判読ができない。
【００１５】
また、感圧複写インキとしてワックス系のカーボンインキ内に２００ｎｍ〜４５０ｎｍの波長で発光する螢光材が含有されているため、紫外光を当てれば発色し、受取側が秘密情報の内容を確認することが可能である。
【００１６】
更に、感圧複写インキ層にはカーボンブラックが混入されており、また隠蔽用印刷層は７４０ｎｍ以上の波長領域下で５５％以上の反射率を示すインキを使用することにより、ＯＣＲ機の光源（通常７４０ｎｍ以上）で隠蔽用印刷層上の複写インキ層がリード化（データとして読み取る）され、隠蔽用印刷層はドロップアウト化（データとして読み取らない）するため、ＯＣＲ読取機での光学自動入力が可能となる。
【００１７】
【発明の実施の形態】
以下、本発明に係る感圧複写伝票の一実施形態について、図１乃至図４を参照しながら詳細に説明する。
【００１８】
図１，図２は金融機関等の預金口座申込書に適用した本発明の第１実施形態を示すもので、図１は預金口座申込書の平面図、図２は同預金口座申込書の構成を示す断面図であり、図３，図４は本発明の第２実施形態を示すもので、図３は預金口座申込書の平面図、図４は同預金口座申込書の構成を示す断面図である。
【００１９】
図１，図２において、預金口座申込書１０は、２枚組の感圧複写用紙を綴じ合わせて構成されており、本実施形態では、１頁目の感圧複写用紙を複写用紙２０、２頁目の感圧複写用紙を機械読取り用紙３０として使用する場合について説明する。
【００２０】
まず、１頁目の複写用紙２０の表面には、預金口座申込に必要な住所，氏名等の一般情報を記入する一般情報記入欄２１が設定されており、また、キャッシュカード発行時に必要な暗証番号等の秘密情報を記入する秘密情報記入欄２２が設定されている。
【００２１】
そして、この複写用紙２０の裏面には、クリスタルバイオレットラクトン等の発色剤を混入したマイクロカプセル層２３が形成されており、更に、秘密情報記入欄２２における複写用紙２０の裏面には、感圧複写インキ層４０が形成されている。
【００２２】
一方、２頁目の複写用紙である機械読取り用紙３０の表面には、活性白土等の顕色剤層３１が形成されているとともに、上記感圧複写インキ層４０に対応する箇所には隠蔽用印刷層５０が形成されている。
【００２３】
更に詳しくは、上記感圧複写インキ層４０は、カーボンブラックを混入したワックス系のカーボンインキに２００ｎｍ〜４５０ｎｍの波長で発光する螢光材を含有した特殊墨インキで形成するとともに、隠蔽用印刷層５０は、上記感圧複写インキ層４０と同色または同系色の墨色インキを使用し、ベタ印刷もしくは地紋印刷等により機械読取り用紙３０の表面に形成されており、特に、７４０ｎｍ以上の波長領域下で５５％以上の反射率を示すインキに特定したことが特徴である。
【００２４】
従って、複写用紙２０の一般情報記入欄２１に住所，氏名等の一般情報を記入すれば、マイクロカプセル層２３と顕色剤層３１の機能により、２頁目の機械読取り用紙３０の所定箇所に一般情報が複写されるとともに、暗証番号を秘密情報記入欄２２に記入すれば、感圧複写インキ層４０と隠蔽用印刷層５０とが同色または同系色の墨色インキであるため、機械読取り用紙３０の表面に複写された暗証番号は、通常時では目視判読できず、機密性を良好に保つことができる。
【００２５】
そして、金融機関側が、暗証番号を確認したい場合には、紫外光を照射すれば、隠蔽用印刷層５０に暗証番号のパターンに沿って付着した螢光材が発光することにより、暗証番号を簡単に確認することができる。
【００２６】
更に、感圧複写インキ層４０は、カーボンブラックが混入されており、かつ、隠蔽用印刷層５０は、７４０ｎｍ以上で５５％以上の反射率を示すインキを使用しているため、通常、ＯＣＲ読取機の光源が７４０ｎｍ以上であることから、暗証番号をリード化（データとして読み取る）することができ、隠蔽用印刷層５０をドロップアウト化（データとして読み取らない）できるため、ＯＣＲ読取機の光学自動入力が可能となる。
【００２７】
従って、従来のように暗証番号をキー入力する操作が省け、入力時間を大幅に短縮化できるとともに、データ入力ミス等が皆無となり、データ入力の信頼性を大幅に高めることができる。
【００２８】
また、本発明をスポットカーボン方式のものに適用することもでき、その場合は、図３，図４に示すように、複写用紙２０の一般情報記入欄２１の裏面にスポットカーボン２４が塗工されているとともに、暗証番号等の秘密情報記入欄２２の裏面には、第１実施形態に使用した感圧複写インキ層４０が形成され、機械読取り用紙３０の表面には、それと同色または同系色の隠蔽用印刷層５０が形成されていれば良い。
【００２９】
この実施形態においても、暗証番号をリード化でき、隠蔽用印刷層５０をドロップアウト化できるため、ＯＣＲ読取り機等により自動的に入力できるという上述実施例と同様の作用効果を有する。
【００３０】
次に、本発明に係る感圧複写伝票の光学数値データを表１に示す。
【００３１】
【表１】
0003606486.tif 000002
【００３２】
ここで、
0003606486.tif 000003
であり、表１には機械読取り用紙３０，隠蔽用印刷層５０，隠蔽用印刷層表面にカーボンを転移させた部分のそれぞれについて、７４０ｎｍ波長領域での反射率とＰＣＳ値の数値を示す。
【００３３】
尚、ここでの反射率データ数値は、島津製作所（製）自動分光光度計ＵＶ−２４０で測定した。
【００３４】
そして、汎用ＯＣＲ機として日本電機株式会社製Ｎ６３７０ＵＸの鉛筆モード（７４０ｎｍ光源波長）でスライスレベル１に設定し、ＯＣＲデータ入力ＯＫであった。
【００３５】
【発明の効果】
以上説明した通り、本発明に係る感圧複写伝票は、秘密情報記入欄における１頁目の複写用紙の裏面にカーボンブラックを混入したワックス系のカーボンインキに２００ｎｍ〜４５０ｎｍの波長で発光する螢光材を含有する感圧複写インキ層を設けるとともに、これと対応する部位の２頁目の複写用紙の表面に上記感圧複写インキ層と同色または同系色のインキでかつ７４０ｎｍ以上の波長領域下で５５％以上の反射率を示すインキを使用することにより、通常のＯＣＲ読取機の光源で複写インキ層がリード化（データとして読み取る）でき、隠蔽用印刷層がドロップアウト化（データとして読み取らない）できる。
【００３６】
従って、ＯＣＲ読取機での光学自動入力が可能となるため、従来のように紫外線照射後、キーパンチ操作によりデータ入力する必要がなく、データ入力時間を大幅に短縮化することができ、入力作業性に優れるとともに、間違ってキー操作をすることがないので、データ入力における信頼性を大幅に向上させることができるという効果を有する。
【図面の簡単な説明】
【図１】本発明に係る感圧複写伝票の第１実施形態を示す預金口座申込書の平面図。
【図２】図１中ＩＩ−ＩＩ線断面図。
【図３】本発明に係る感圧複写伝票の第２実施形態を示す預金口座申込書の平面図。
【図４】図３中ＩＶ−ＩＶ線断面図。
【図５】従来の預金口座申込書を示す平面図。
【図６】図５中ＶＩ−ＶＩ線断面図。
【符号の説明】
１０  預金口座申込書
２０  複写用紙
２２  秘密情報記入欄
２３  マイクロカプセル層
３０  機械読取り用紙
３１  顕色剤層
４０  感圧複写インキ層
５０  隠蔽用印刷層
【図１】
0003606486.tif 000004
【図２】
0003606486.tif 000005
【図３】
0003606486.tif 000006
【図４】
0003606486.tif 000007
【図５】
0003606486.tif 000008
【図６】
0003606486.tif 000009